(57)【要約】【課題】垂直状態のパイプに対し、一旦位置決めした後サドルから手を離してもサドルがずれ動くことがない、構成簡易なサドルを提供することを課題とする。【解決手段】帯板の一端部を湾曲することにより、平坦な基部２とそれに連続する湾曲部３とを形成し、湾曲部３の先端に上方反り上がり部４を形成し、基部２と反り上がり部４とに互いに連通し合うネジ通し孔５、９を設けて成る。湾曲部３は、当該サドルの使用範囲として設定された範囲のパイプのうちの最小径のパイプの周面に対応する湾曲度の湾曲部分と、当該サドルの使範囲として設定された範囲のパイプのうちの最大径のパイプの周面に対応する湾曲度の湾曲部分とを有する。【選択図】図１
0003153446.tif 000002
【実用新案登録請求の範囲】
【請求項１】
帯板の一端部を湾曲することにより、平坦な基部とそれに連続する湾曲部とを形成し、前記湾曲部の先端に上方反り上がり部を形成し、前記基部と前記反り上がり部とに互いに連通し合うネジ通し孔を設けて成るサドルであって、前記湾曲部は、当該サドルの使用範囲として設定された範囲のパイプのうちの最小径のパイプの周面に対応する湾曲度の湾曲部分と、当該サドルの使用範囲として設定された範囲のパイプのうちの最大径のパイプの周面に対応する湾曲度の湾曲部分とを有することを特徴とするサドル。
【請求項２】
前記最小径のパイプの周面に対応する湾曲度の湾曲部分が、前記湾曲部の前記反り上がり部側端部に配置された、請求項１に記載のサドル。
【請求項３】
前記最小径のパイプの周面に対応する湾曲度の湾曲部分から前記反り上がり部にかけて、補強用リブとして機能する段差が形成された、請求項２に記載のサドル。
【請求項４】
前記最大径のパイプの周面に対応する湾曲度の湾曲部分が、前記湾曲部の前記基部側端部に配置された、請求項１に記載のサドル。
【請求項５】
前記最大径のパイプの周面に対応する湾曲度の湾曲部分に、長Ｕ字形、長コ字形その他適宜形状の補助固定用舌片が、前記湾曲部に対応する湾曲状態から前記基部と平行状態になるまで湾折曲可能に形成された、請求項４に記載のサドル。
【考案の詳細な説明】
【技術分野】
【０００１】
本考案はサドル、より詳細には、ケーブル等の配線や配管をする際に、ケーブル等を収めるパイプ類（以下単に「パイプ」とする）を壁面等に支持固定するためのサドルに関するものである。
【背景技術】
【０００２】
上記サドルとしては、実公昭６１−３４８１５号公報記載のものがある。その考案に係るサドルは、帯板を曲げてパイプを囲むように湾曲部を形成すると共に、両端を一側方において向き合わせて上下取付片とし、上下取付片へネジの挿通孔を穿ち、また、外方へ開いたときに取付片の反対側へ位置する補助取付片を帯板の側面へ切欠いて一体形成し、補助取付片へネジの挿通孔を穿つことを特徴とするものである。
【０００３】
この従来のサドルによった場合、ケーブルへの取付けに当っては、開いた状態の取付片間を更に拡げて、ケーブルを湾曲部内に滑り込ませるが、その後取付片を重ねてネジ止めするまでの間、湾曲部はケーブルに対して十分広径となっていて、その内面のケーブルに密着する部分が少ない。従って、ケーブルが水平状態のときにはさ程問題はないが、それが垂直状態にあるときには、一旦位置決めしても、サドルから手を離すとサドルがずれ動いてしまうという問題があった。
【０００４】
この問題を解決するために、本出願人は、帯板の一端部を湾曲することにより、平坦な基部とそれに連続する湾曲部とを形成し、前記基部と前記湾曲部の先端部とにネジ通し穴を設け、前記基部から前記湾曲部にかけてＵ字状、Ｖ字状、コ字状等の切線を入れることにより押止舌片を形成し、この押止舌片を若干内方に起こすことにより弾発性能を有する板バネとして機能させ、この押止舌片がその弾発力によってパイプを押圧することによって、垂直状態のパイプに対して一旦位置決めした後サドルから手を離しても、サドルがずれ動かないようにする構成を開示している（特開２００５−４５９１５号公報）。
【０００５】
しかし、このサドルの場合は、パイプに対して一旦位置決めした後に、押止舌片を若干内方に起こす手間がかかり、また、この押止舌片は補助固定片を兼ねているため、一旦内方に起こした後に元の状態、即ち、基部と平行の状態に戻さなければならない煩わしさがあり、しかもその戻し作業に際しては、指先に大きな力が必要となるという問題がある。
【先行技術文献】
【特許文献】
【０００６】
【特許文献１】実公昭６１−３４８１５号公報
【特許文献２】特開２００５−４５９１５号公報
【考案の開示】
【考案が解決しようとする課題】
【０００７】
本考案は、上記従来のサドルの持つ問題点に鑑みてなされたもので、垂直状態のパイプに対し、平坦な基部と湾曲部の先端部とを指先で押し縮めるだけで位置決めすることができ、しかも、一旦位置決めした後サドルから手を離してもサドルがずれ動くことがない、構成簡易なサドルを提供することを課題とする。
【課題を解決するための手段】
【０００８】
上記課題を解決するための請求項１に記載の考案は、帯板の一端部を湾曲することにより、平坦な基部とそれに連続する湾曲部とを形成し、前記湾曲部の先端に上方反り上がり部を形成し、前記基部と前記反り上がり部とに互いに連通し合うネジ通し孔を設けて成るサドルであって、前記湾曲部は、当該サドルの使用範囲として設定された範囲のパイプのうちの最小径のパイプの周面に対応する湾曲度の湾曲部分と、当該サドルの使用範囲として設定された範囲のパイプのうちの最大径のパイプの周面に対応する湾曲度の湾曲部分とを有することを特徴とするサドルである。
【０００９】
好ましくは、前記最小径のパイプの周面に対応する湾曲部分が、前記湾曲部の前記反り上がり部側の端部に配置され、前記最小径のパイプの周面に対応する湾曲部分から前記反り上がり部にかけて補強用リブとして機能する段差が形成される。
【００１０】
また、好ましくは、前記最大径のパイプの周面に対応する湾曲部分が、前記湾曲部の前記基部側の端部に配置され、前記最大径のパイプの周面に対応する湾曲部分に、長Ｕ字形、長コ字形その他適宜形状の補助固定用舌片が、前記湾曲部分に対応する湾曲状態から前記基部と平行状態になるまで湾折曲可能に形成される。
【考案の効果】
【００１１】
上記のとおり本考案に係るサドルは、帯板の一端部を湾曲することにより、平坦な基部とそれに連続する湾曲部とを形成し、前記湾曲部の先端に上方反り上がり部を形成し、前記基部と前記反り上がり部とに互いに連通し合うネジ通し孔を設けて成るもので、前記湾曲部が、当該サドルが使用適性を有する最小径のパイプの周面に対応する湾曲度の湾曲部分と、当該サドルが使用適性を有する最大径のパイプの周面に対応する湾曲度の湾曲部分とを有している。
【００１２】
そのため、パイプをその湾曲部内に収めた状態において平坦な基部と湾曲部の先端部とを指先で押し縮めることで、当該サドルが使用適性を有する範囲内のいかなる径のパイプに対しても、必ずある程度の範囲で湾曲部の内側面がパイプの外側面に比較的密に当接することになる。その結果、パイプが垂直状態にあっても、一旦位置決めした後サドルから手を離した際に、当該サドルがずれ動くことがなくなり、パイプのサドル止め作業を簡易迅速に行なうことが可能となる効果がある。
【図面の簡単な説明】
【００１３】
【図１】本考案に係るサドルの一実施形態の斜視図である。
【図２】本考案に係るサドルの一実施形態の側面図である。
【図３】本考案に係るサドルの一実施形態の使用状態を示す側面図である。
【図４】本考案に係るサドルの一実施形態の取付方法の第１工程を示す図である。
【図５】本考案に係るサドルの一実施形態の取付方法の第２工程を示す図である。
【図６】本考案に係るサドルの一実施形態の取付方法の第３工程を示す図である。
【考案を実施するための形態】
【００１４】
本考案を実施するための最良の形態について、添付図面に依拠して詳細に説明する。図１は、本考案に係るサドル１の一実施形態の斜視図である。該サドル１は、金属製帯板の一端部を湾曲することにより、平坦な基部２とそれに連続する湾曲部３とを形成し、更に湾曲部３の先端を上向きに延長して、反り上がり部４を形成して成る。
【００１５】
基部２にはネジ通し孔５が形成されるが、好ましくはネジ通し孔５は、基部２の長さ方向に延びる長孔とされる。また、基部２から湾曲部３にかかる部分に補助固定用舌片６が形成される。補助固定用舌片６は、基部２から湾曲部３にかけて、長Ｕ字状、長コ字状等に切線を入れることによって形成され、その接続辺７の部分において、湾曲部３から基部２に平行な状態になるまで湾折曲される。補助固定用舌片６の自由端側端部には、固定ネジ挿通孔８が形成される。
【００１６】
湾曲部３は、単に湾曲されているのではなく、部分的に湾曲度が異なるように湾曲される。即ち、パイプには径の異なる種々の太さのものがあり、それを支持するサドルにも、種々のサイズのものが用意される。各サドルには、それを用いるのに適したパイプ径の範囲があり、各サドル製品には、例えば、Φ１０〜１５ｍｍのように、使用可能なパイプ径が設定されている。
【００１７】
本発明に係るサドル１の湾曲部３は、使用適性範囲内の最小径のパイプの周面に対応する湾曲度の湾曲部分（図２における部分Ｒ２）と、使用適性範囲内の最大径のパイプの周面に対応する湾曲度の湾曲部分（図２における部分Ｒ１）とを有している。例えば、部分Ｒ２は、湾曲部３の反り上がり部４側の端部に配置され、部分Ｒ１は、湾曲部３の基部２側の端部に配置される。
【００１８】
湾曲部１３の先端部分は、パイプ２１の導入を容易にするために、上方に反るように延長して反り上り部４が形成される。反り上がり部４には、指で押圧されて基部２に接近した際にネジ通し孔５と連通するネジ通し孔９が穿設される。
【００１９】
好ましい実施形態においては、湾曲部３から反り上がり部４にかけて段差１０が設けられ、周縁部よりも内側部分が少し高くなるように成形される。そして、ネジ通し孔９を囲む部分は周縁部と同じ高さに窪ませ、該窪み部分１１に、ネジ通し孔９に差し込まれる固定ネジ１２の頭が収まるようにされる。この段差１０は、補強用リブの役目も果たし、その剛性により、一旦押し縮められた湾曲部３がその復元力で広がろうとする力を減衰させるよう作用する。
【００２０】
上記構成のサドル１の使用方法は、基本的には従来のものと変わらない。即ち、パイプ１５におけるサドル取付位置にて、湾曲部３を開くようにしてパイプ１５を湾曲部３内に滑り込ませる（図４参照）。その状態で、平坦な基部２と反り上がり部４とを指先で押して締め付けると、湾曲部３がパイプ１５の周面に馴染むように一旦湾曲するが、指を離すと、湾曲部３がその復元力によって若干開く。
【００２１】
しかるに、本考案に係るサドルにおける湾曲部３には、当該サドルが使用適性を有する最小径のパイプ１５の周面に対応する湾曲度を有していて当該周面に密着し得る湾曲部分Ｒ２と、当該サドルが使用適性を有する最大径のパイプ１５の周面に対応する湾曲度を有していて当該周面に密着し得る湾曲部分Ｒ１とが形成されているので、当該サドルが使用適性を有する範囲内であれば、いかなる径のものであっても、必ず広範囲に亘って湾曲部３の内側面がパイプ１５の外周面に比較的密に当接することになる。段差１０は、この密な当接状態の保持を助ける。その結果、パイプ１５が垂直状態であって、指を離すことにより湾曲部３が若干復元して開いても、サドルがパイプ１５から滑り落ちることはない。
【００２２】
次いで、ネジ通し孔９からネジ通し孔５にかけて固定ネジ１２を通し、パイプ１５を壁面等に固定する（図５参照）。また、より強固に固定するために、補助固定用舌片６を外方に湾折曲して壁面等に当接させ、ネジ通し孔８を通して固定ネジ１３をねじ込む（図６参照）。
【００２３】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【符号の説明】
【００２４】
１    サドル
２    基部
３    湾曲部
４    反り上がり部
５    ネジ通し孔
６    補助固定用舌片
７    接続辺
８    ネジ通し孔
９    ネジ通し孔
１０    段差
１１    窪み部
１２    固定ネジ
１３    固定ネジ
１５    パイプ
【図１】
0003153446.tif 000003
【図２】
0003153446.tif 000004
【図３】
0003153446.tif 000005
【図４】
0003153446.tif 000006
【図５】
0003153446.tif 000007
【図６】
0003153446.tif 000008